(57)【特許請求の範囲】
【請求項１】
引戸の戸袋に設置する方立であって、戸袋の開口端に固定される化粧が施されない下地方立と、化粧が施された化粧方立とからなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする方立。
【請求項２】
化粧方立が下地方立に連結された状態において、下地方立の突出部の側面と化粧方立の切欠の側面とが接触することなくそれらの間に隙間が確保されることを特徴とする、請求項１記載の方立。
【請求項３】
引戸の戸袋に方立が設置されてなる引込戸構造であって、方立は、戸袋の開口端に固定される化粧が施されない下地方立と、化粧が施された化粧方立とからなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする引込戸構造。
【請求項４】
引戸の戸袋に方立が設置されてなる引込戸構造の施工方法であって、開口部に戸袋下地材を固定し、戸袋下地材に化粧が施されない下地方立を固定し、下地方立に壁材端部を突き当てた状態で壁材を固定し、壁材および下地方立に連続してクロスを貼った後、下地方立に化粧が施された化粧方立を着脱可能に取り付ける各工程からなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする引込戸の施工方法。
【発明の詳細な説明】
【技術分野】
【０００１】
本発明は方立に関し、より詳しくは、引戸の戸袋に設置される方立、引戸の戸袋に方立が設置されてなる引込戸構造および引込戸の施工方法に関する。
【背景技術】
【０００２】
隣接する２つの部屋ないし空間を仕切る壁に形成される開口部に引戸を設置して該開口部を開閉可能にする場合、開口部に隣接する一方の壁に、戸を開けたときに収納するための空間（戸袋）を設けた、いわゆる引込戸とすることが行われている（特許文献１）。この引戸構造によると、戸を開けたときに、隣接する２つの部屋ないし空間のいずれの側からも戸が見えないので、すっきりした印象や開放的な印象を与えることができる。
【０００３】
このような引込戸の施工は、従来、開口部に開口側縦枠、戸袋側戸当たり部材（縦材）、鴨居（または鴨居レール）、敷居（または敷居レール）、戸袋下地などを固定し、戸袋下地に石膏ボードを固定し、鴨居（または鴨居レール）に引戸を吊り込み、戸袋開口端に方立を取り付けた後、最後に石膏ボードにクロスを貼って化粧を行っている。石膏ボードにクロスを貼る際には、開口部に取り付けた部材（方立など）とクロスとの継ぎ目にコーキング剤を塗布する必要がある。クロスを貼った後に開口部に方立などの部材を取り付け、コーキング剤を塗布することも作業的には可能であるが、コーキング剤の塗布はクロス貼り工程の一環として内装施工業者が行う作業であり、クロス貼りとコーキング剤塗布の作業を分けて行うことは非効率的である。したがって、上記したように、クロス貼りおよびコーキング剤塗布の作業は、開口部に方立などの必要部材をすべて取り付けた後に、最後の仕上げ作業として行われる。
【先行技術文献】
【特許文献】
【０００４】
【特許文献１】特開２００７−０５６５０６号公報
【発明の概要】
【発明が解決しようとする課題】
【０００５】
しかしながら、建具部材としての方立は一般に化粧シートなどで化粧が施されているため、これを開口部に取り付けた後にクロス貼り作業を行うと、方立の化粧が剥がれたり方立が破損したりして補修作業や交換作業が必要になることがあった。方立は開口部にネジや接着剤などで固定されているので、その補修や交換を行うには、固定された方立を取り外した後、補修した方立または新たな方立を取り付ける必要があり、多大な手間を要するものであった。また、傷付きを防止するために方立を養生シートで覆うことも行われているが、その作業に余分な手間がかかっていた。また、引戸の補修や交換が必要になった場合も、固定されている方立を一旦取り外した後に再度取り付けなければならず、多大な作業手間を要していた。
【０００６】
したがって、本発明が解決しようとする課題は、前記施工順で引込戸を施工する場合であっても、クロス貼りの際に方立の化粧が損なわれず、また、方立や引戸の補修や交換の際に方立の取り外し・取り付けを容易に行うことができるような、新規な方立構造を提供することである。
【課題を解決するための手段】
【０００７】
この課題を解決するため、請求項１に係る本発明は、引戸の戸袋に設置する方立であって、戸袋の開口端に固定される化粧が施されない下地方立と、化粧が施された化粧方立とからなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする。
【０００８】
請求項２に係る本発明は、請求項１記載の方立において、化粧方立が下地方立に連結された状態において、下地方立の突出部の側面と化粧方立の切欠の側面とが接触することなくそれらの間に隙間が確保されることを特徴とする。
【０００９】
請求項３に係る本発明は、引戸の戸袋に方立が設置されてなる引込戸構造であって、方立は、戸袋の開口端に固定される化粧が施されない下地方立と、化粧が施された化粧方立とからなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする。
【００１０】
請求項４に係る本発明は、引戸の戸袋に方立が設置されてなる引込戸構造の施工方法であって、開口部に戸袋下地材を固定し、戸袋下地材に化粧が施されない下地方立を固定し、下地方立に壁材端部を突き当てた状態で壁材を固定し、壁材および下地方立に連続してクロスを貼った後、下地方立に化粧が施された化粧方立を着脱可能に取り付ける各工程からなり、下地方立の前面と化粧方立の後面にはそれぞれ連結溝が形成され、これら連結溝同士を一致させた状態でこれら連結溝に連結部材の両端嵌合部を嵌合させることにより化粧方立が下地方立に着脱可能に連結され、この連結状態において、下地方立の前方に突出する突出部の少なくとも一部が化粧方立の後面の切欠に収容され、且つ、該突出部の前面と該切欠の後面とが接触することなくそれらの間に隙間が確保されることを特徴とする。
【発明の効果】
【００１１】
本発明によれば、引込戸構造において引戸の戸袋に設置される方立が、化粧が施されない下地方立と、化粧が施される化粧方立とからなり、下地方立を戸袋の開口端に固定し、クロス貼りを行った後の施工最終段階で、化粧方立を下地方立に取り付けて方立が完成される。したがって、方立の化粧が施工時に傷付けられることがなく、方立を施工中に養生する必要もない。
【００１２】
また、化粧方立を下地方立に連結した状態において、下地方立の前方に突出する突出部の少なくとも一部が化粧方立の後面の切欠に収容されるので、化粧方立の取付方が悪かったり、施工後に化粧方立がずれて下地方立との間に隙間が生じた場合であっても、この隙間が外部から観察されることがなく、意匠性が低下しない。
【００１３】
また、同連結状態において、下地方立の突出部前面と化粧方立の切欠後面とが接触することなくそれらの間に隙間が確保されるので、これら部材の加工精度が多少悪くても、下地方立の前面と化粧方立の後面とを密接させた状態で連結させることができる。また、下地方立施工後に突出部外面から前面にかけて貼着されクロスや、化粧方立に貼着されている化粧シートを傷付けることがない。
【００１４】
また、好適な実施形態によれば、下地方立の突出部側面と化粧方立の切欠側面とが接触することなくそれらの間に隙間が確保されるので、これら部材の加工精度が多少悪くても、連結溝同士を一致させて連結部材で連結する作業を支障なく行うことができる。
【図面の簡単な説明】
【００１５】
【図１】本発明の一実施形態による方立を用いて施工された引込戸構造を、開口部が引戸で閉じられた状態として示す正面図である。
【図２】図１中Ａ−Ａ切断部分の断面図である。
【図３】図２中Ｂ部分の拡大図である（引戸および鴨居レールは図示省略）。
【図４】図１の引込戸構造に用いられる方立を構成する一部材である下地方立の正面図（ａ）および側面図（ｂ）である。
【図５】図１の引込戸構造に用いられる方立を構成する他部材である化粧方立の正面図（ａ）および側面図（ｂ）である。
【図６】図４の下地方立と図５の化粧方立を連結する連結部材の正面図（ａ）、平面図（ｂ）および側面図（ｃ）である。
【図７】図１の引込戸構造に用いられる開口側上枠の平面図（ａ）および側面図（ｂ）である。
【図８】図１の引込戸構造に用いられる開口側鴨居レールの平面図（ａ）および側面図（ｂ）である。
【図９】図１の引込戸構造に用いられる戸袋側上枠の平面図（ａ）および側面図（ｂ）である。
【図１０】図１の引込戸構造に用いられる戸袋側鴨居レールの平面図（ａ）および側面図（ｂ）である。
【図１１】図１の引込戸構造の施工を工程順に示す説明図である。これら図１１（ａ）〜（ｄ）はいずれも床面から開口部上面を見上げた状態で示されている。図１１（ｄ）は図２と同一である。
【図１２】本発明の他実施形態による方立を用いて施工された引込戸構造を、開口部が引戸で閉じられた状態として示す正面図である。
【図１３】図１２中Ｃ−Ｃ切断部分の断面図である。
【図１４】図１３中Ｄ部分の拡大図である（引戸および鴨居レールは図示省略）。
【図１５】図１２の引込戸構造に用いられる方立を構成する一部材である下地方立の正面図（ａ）および側面図（ｂ）である。
【図１６】図１２の引込戸構造に用いられる方立を構成する他部材である化粧方立の正面図（ａ）および側面図（ｂ）である。
【図１７】図１２の引込戸構造に用いられる上枠の平面図（ａ）、開口側側面図（ｂ）および戸袋側側面図（ｃ）である。
【図１８】図１２の引込戸構造に用いられる鴨居レールの平面図（ａ）および側面図（ｂ）である。
【図１９】図１２の引込戸構造の施工を工程順に示す説明図である。これら図１９（ａ）〜（ｃ）はいずれも床面から開口部上面を見上げた状態で示されている。図１９（ｃ）は図１３と同一である。
【発明を実施するための最良の形態】
【００１６】
以下に実施例を挙げて本発明を詳細に説明する。
【実施例１】
【００１７】
図１および図２に示される引込戸構造１０は、柱１１，１２間の開口部２９において、柱１１の内面に固定される縦枠１３と、柱１２の内面に固定される戸当たり部材１４と、これら縦枠１３および戸当たり部材１４の上端同士の間に架設される上枠１５とからなる三方枠に引戸１６が横方向にスライド移動可能に設けられ、戸当たり部材１４の両側に、戸袋下地板１７および戸袋下地桟１８からなる戸袋下地材１９および方立２０を取り付け、それらの外側に各々壁材として石膏ボード２１およびクロス２２を貼って戸袋２３，２３を形成したものである。縦枠１３、戸当たり部材１４および上枠１５はいずれもＭＤＦで形成される。この実施形態において、開口部は高さ２４７０ｍｍ、幅１５８０ｍｍであり、引戸１６は高さ２４４０ｍｍ、幅７９０ｍｍであり、戸袋２３は高さ２４７０ｍｍ、幅７８５ｍｍである。
【００１８】
縦枠１３は、少なくとも施工状態において露出する部分に化粧シート貼りなどによる化粧が施された単一部材からなるものであっても良い（実施例２）が、この実施形態の縦枠１３は、開口部２９に固定する下地縦枠１３１と、この下地縦枠１３１の表面に固定する化粧縦枠１３２とからなるものとして示されている。下地縦枠１３１は化粧縦枠１３２より幅広であり、下地縦枠１３１には化粧が施されていないが、化粧縦枠１３２の少なくとも施工状態露出面を覆うように、たとえば、表面から側面を回り込んで裏面側に至る部分にかけて化粧が施されている。下地縦枠１３１の表面には長手方向に延長する凹条１３３が形成されると共に、化粧縦枠１３２の裏面には長手方向に延長する凸条１３４が形成され、この凸条１３４を凹条１３３に嵌合して固定することにより、下地縦枠１３１と化粧縦枠１３２とを一体化して縦枠１３としている。また、化粧縦枠１３２の表面には、引戸１６を閉じたときにその閉じ側端を受ける戸じゃくり１３５が形成されている。この実施形態において、下地縦枠１３１は長さ２４６７ｍ、幅１４７ｍｍであり、化粧縦枠１３２は長さ２４６７ｍｍ、幅１１０ｍｍである。
【００１９】
上枠１５は、少なくとも施工状態において露出する部分に化粧シート貼りなどによる化粧が施された単一部材からなるものであっても良い（実施例２）が、この実施形態の上枠１５は、開口側上枠１５１（図７）と戸袋側上枠１５２（図９）とからなるものとして示されている。開口側上枠１５１は、その長手方向一端を縦枠１３（化粧縦枠１３２）の上端表面に突き当てた状態で方立２０近くまで延長し、戸袋側上枠１５２は、その長手方向一端を戸当たり部材１４の上端表面に突き当てた状態で縦枠１３に向けて方立２０から突出し、開口側上枠１５１の延長先端と戸袋側上枠１５２の突出先端とは実質的に突き当てられた状態で一体化して、一直線に延長する上枠１５が形成されている。
【００２０】
開口側上枠１５１と戸袋側上枠１５２は、厚さが略同一であるが、長さは開口側上枠１５１が戸袋側上枠１５２より短く、幅は開口側上枠１５１が壁厚さと略同一であるのに対し戸袋側上枠１５２は壁厚さより小さく、表裏の戸袋下地材１９間の隙間に入り込むことが可能な幅寸法とされている。この実施形態において、開口側上枠１５１は長さ７７４.５ｍｍ、幅１０４ｍｍであり、戸袋側上枠１５２は長さ７９０ｍｍ、幅６２ｍｍである。
【００２１】
なお、開口側上枠１５１には、少なくとも施工状態で露出する面を化粧するために化粧シート１５７が貼着される（図７（ｂ））が、戸袋側上枠１５２は方立２０を取り付けて戸袋２３を施工したときに隠れるので化粧を施す必要はない。また、戸袋側上枠１５２の開口側先端部には、後述する下地方立２５と化粧方立２６を収容する段部１５９，１５９が幅方向両側に形成されている（図９（ａ））。この実施形態では、各段部１５９の寸法は長さ５６ｍｍ、幅１１．３ｍｍとされている。
【００２２】
上枠１５の下面には鴨居レール２４が取り付けられ、床面３０には敷居レール３１が取り付けられる。この実施形態では、上枠１５が開口側上枠１５１と戸袋側上枠１５２とで構成されていることに伴い、開口側上枠１５１の下面に開口側鴨居レール２４１（図８）が取り付けられ、戸袋側上枠１５２の下面に戸袋側鴨居レール２４２（図１０）が取り付けられる。
【００２３】
より詳しくは、開口側上枠１５１下面の幅方向中央には、開口側鴨居レール２４１の戸車走行溝２４３を嵌合収容する溝１５３を含む鴨居レール取付凹部１５５が凹設され、開口側鴨居レール２４１は、その両端係止縁２４５が鴨居レール取付凹部１５５の開口縁に係止され且つ戸車走行溝２４３が溝１５３に嵌合収容された状態で、鴨居レール取付凹部１５５に嵌着固定される。同様に、戸袋側上枠１５２下面の幅方向中央には、戸袋側鴨居レール２４２の戸車走行溝２４４を嵌合収容する溝１５４を含む鴨居レール取付凹部１５６が凹設され、戸袋側鴨居レール２４２は、その両端係止縁２４６が鴨居レール取付凹部１５６の開口縁に係止され且つ戸車走行溝２４４が溝１５４に嵌合収容された状態で、鴨居レール取付凹部１５６に嵌着固定される。
【００２４】
開口側鴨居レール２４１と戸袋側鴨居レール２４２の断面形状は略同一であり、開口側鴨居レール２４１と戸袋側鴨居レール２４２が上述したように開口側上枠１５１および戸袋側上枠１５２にそれぞれ固定されたときに、開口側鴨居レール２４１と戸袋側鴨居レール２４２とが一直線に延長する鴨居レール２４を形成して、引戸１６の上端に取り付けられる戸車（図示せず）が鴨居レール２４の戸車走行溝２４３，２４４内で走行することにより引戸１６の開閉方向移動を円滑に案内する。
【００２５】
開口側鴨居レール２４１および戸袋側鴨居レール２４２はいずれも合成樹脂で形成される。開口側鴨居レール２４１は戸袋側鴨居レール２４２より長く形成されて、これらの継ぎ目が戸袋２３，２３側に位置するように寸法設定することが好ましく、この実施形態では、開口側鴨居レール２４１は長さ８３０．５ｍｍであり、戸袋側鴨居レール２４２は長さ７３４ｍｍである。このように寸法設定することにより、開口側上枠１５１と戸袋側上枠１５２との間の継ぎ目は開口側鴨居レール２４１で隠され、開口側鴨居レール２４１と戸袋側鴨居レール２４２との間の継ぎ目は戸袋２３，２３で隠されるので、見栄えが良好になる。
【００２６】
方立２０は、下地方立２５（図４）と、化粧方立２６（図５）と、これらを連結する連結部材２７（図６）とからなる。下地方立２５と化粧方立２６は、連結部材２７により、図２およびそのＢ部分拡大図である（引戸１６および鴨居レール２４は図示省略）図３に示されるように連結された状態で、引込戸構造１０の戸袋２３開口端の表裏にそれぞれ設けられる。
【００２７】
図４を参照して、下地方立２５はＭＤＦで形成され、施工状態においては石膏ボード２１の外面から連続して突出部外面２５３ｄおよび突出部前面２５３ｃにかけてクロス２２が貼着される（図３）が、下地方立２５自体に化粧シートは貼着されない。下地方立２５は、一定の断面形状が長手方向（施工状態において壁高さ方向）に連続する長尺部材であり、略方形の断面形状を有する下地本体部２５１と、この下地本体部２５１の外方および前方に突出する突出部２５２とからなる。より詳しくは、下地方立２５は、下地本体部２５１の前面２５３ａと、突出部２５２の側面２５３ｂと、突出部２５２の前面２５３ｃと、突出部２５２の外面２５３ｄと、突出部２５２の後面２５３ｆと、突出部２５２の外面２５３ｄと後面２５３ｆとの間の傾斜面２５３ｅと、下地本体部２５１の外面２５３ｇと、下地本体部２６１の背面２５３ｈと、下地本体部２６１の内面２５３ｉの各面を有するものとして形成されている。
【００２８】
下地本体部２５１の前面２５３ａと突出部２５２の下面２５３ｂとの間には化粧方立２６を嵌合するための切欠２５４が形成され、突出部２５２の後面２５３ｆと下地本体部２５１の外面２５３ｇとの間には石膏ボード２１を納めるための（したがって石膏ボード２１の厚さと略同一幅を有する）切欠２５５が形成される。この実施形態における下地方立２５の寸法は、長さ２４６９ｍｍ、幅（突出部２５２の外面２５３ｄと下地本体部２６１の内面２５３ｉの間隔）５１．５ｍｍ、厚さ（突出部２５２の前面２５３ｃと下地本体部２６１の背面２５３ｈの間隔）３０ｍｍであり、切欠２５４を形成する下地本体部前面２５３ａおよび突出部側面２５３ｂはそれぞれ幅２９ｍｍ、幅５ｍｍであり、切欠２５５を形成する突出部後面２５３ｆと下地本体部外面２５３ｇはいずれも幅１３．５ｍｍ（石膏ボード２１の厚さと略同一）である。また、突出部２５２の前面２５３ｃは幅２２．５ｍｍ、外面２５３ｄは幅１６．５ｍｍである。突出部２５２の外面２５３ｄと後面２５３ｆとの間の傾斜面（面取り）２５３ｅは、施工時に、石膏ボード２１の端面との間にパテ（図示せず）を埋め込んで下地方立２５と石膏ボード２１との継ぎ目を略平坦にするための隙間２８（図３）を与える。
【００２９】
下地本体部２５１の前面２５３ａには長手方向に延長する連結溝２５６が形成されると共に、この連結溝２５６の中心線上に中心を持つ円形断面を有するネジ頭収容凹部２５７が長手方向に任意間隔をおいて複数個設けられ、さらに各ネジ頭収容凹部２６７の底面の中心から背面２５３ｈ近くまでの深さにネジ穴２５８が形成される。連結溝２５６は、下地方立２５が化粧方立２６と組み合わされたときに、化粧方立２６の連結溝２６２（後述）と一致する位置に形成される。この実施形態では、連結溝２５６は深さ７ｍｍ、幅３ｍｍであり、１３ｍｍ径、深さ１０ｍｍのネジ頭収容凹部２５７と、２．５ｍｍ径、深さ１３ｍｍのネジ穴２５８が、長手方向に５５０ｍｍの等間隔で各々５箇所（図４では２箇所を図示省略）に設けられている。
【００３０】
図５を参照して、化粧方立２６はＭＤＦで形成され、一定の断面形状が長手方向（施工状態において壁高さ方向）に連続する長尺部材である。化粧方立２６は略方形の断面形状を有するが、下地方立２５と組み合わされるときに向かい合う側の面（後面）に切欠２６１および連結溝２６２が形成されている。化粧方立２６は、前面２６３ａと、外面２６３ｃと、これらの間の傾斜面２６３ｂと、切欠２６１を形成する面２６３ｄ，２６３ｅと、後面２６３ｆと、内面２６３ｇの各面を有するものとして形成されており、面２６３ｇ，２６３ａ〜２６３ｅを完全に被覆してその両端が後面２６３ｆに回り込むように、化粧シート２６４が貼着されている。既述したように、連結溝２６２は、化粧方立２６が下地方立２５と組み合わされたときに、下地方立２５の連結溝２５６と一致する位置に形成される。
【００３１】
この実施形態における化粧方立２６の寸法は、長さ２４６９ｍｍ、幅（外面２６３ｃと内面２６３ｇの間隔）３３ｍｍ、厚さ（前面２６３ａと後面２６３ｆの間隔）３０ｍｍであり、連結溝２６２は深さ７ｍｍ、幅３ｍｍであり、切欠２６１を形成する面２６３ｄおよび２６３ｅはそれぞれ幅５ｍｍおよび幅９ｍｍであり、後面２６３ｆは幅１８ｍｍである。化粧方立２６は、対向する化粧縦枠１３２の幅に合わせて統一感を出すため、また、目立たないようにしてすっきりした外観に仕上げるために、下地方立２５より幅を小さく形成している。
【００３２】
図６を参照して、連結部材２７は合成樹脂で形成された細板状の長尺部材であり、その表裏には凹凸２７１が形成され、幅方向の一方が下地方立２５の連結溝２５６に嵌合する嵌合部２７２となり、他方が化粧方立２６の連結溝２６２に嵌合する嵌合部２７３となる。表裏の凹凸２７１は、嵌合部２７２，２７３では各々挿入方向に傾斜して先端鋭角状に突出する形状とされ、且つ、嵌合部２７２，２７３の先端も鋭角状に形成されている。これにより、嵌合部２７２，２７３を連結溝２５６，２６２に嵌合しやすく、且つ、一旦嵌合すれば凹凸２７１が連結溝２５６，２６２の溝内面に喰い込んで容易には離脱しない嵌合状態が得られる。
【００３３】
連結部材２７の厚さは連結溝２５６，２６２の幅（この実施形態では３ｍｍ）と略同一またはそれよりわずかに大きい寸法であり、その幅（嵌合部２７２，２７３の長さ合計）は連結溝２５６，２６２の深さ合計（１４ｍｍ）と略同一またはそれよりわずかに小さい寸法である。この実施形態では、連結部材２７は、長さ２４６９ｍｍ、幅１４ｍｍ、厚さ（凹凸２７１を含む）４ｍｍである。なお、連結部材２７は全体を単一の合成樹脂で一体に形成しても良いが、硬質樹脂を主体としながら、嵌合部２７２，２７３の先端から表裏面の一部にかけて軟質樹脂を設けて形成しても良い。
【００３４】
図１および図２記載の引込戸構造１０の施工について、図１１を参照して説明する。図１１（ａ）は下地工程を示すものであり、柱１１に下地縦枠１３１、柱１２に戸当たり部材１４、開口部２９の上面に戸袋側上枠１５２をそれぞれ取り付け、戸袋側上枠１５２に戸袋側鴨居レール２４２を嵌合固定し、開口部２９の上下面および柱１２に戸袋下地板１７および戸袋下地桟１８からなる戸袋下地材１９を取り付け、戸袋下地材１９の外面に石膏ボード２１を取り付けて表裏に戸袋２３，２３を形成し、各戸袋２３の開口端部に下地方立２５を取り付ける。戸袋側上枠１５２は、あらかじめ戸袋側鴨居レール２４２を嵌合固定して一体化した後に開口部２９の上面に取り付けても良い。各戸袋下地材１９の外面に石膏ボード２１を取り付け、その端部を下地方立２５の切欠２５５に納めて隙間２８にパテ（図示せず）を埋め、下地方立２５の外面２５３ｄとの継ぎ目を略平坦にする。
【００３５】
図１１（ｂ）はクロス貼り工程を示すものであり、戸袋２３，２３側においては、石膏ボード２１の表面から下地方立２５の突出部外面２５３ｄおよび前面２５３ｃを完全に被覆するようにクロス２２を貼る。下地方立２５の切欠２５５の深さ（突出部外面２５３ｄと下地本体部外面２５３ｇの間隔）は石膏ボード２１の厚さに略等しいので、石膏ボード２１の表面から下地方立２５の外面２５３にかけて連続的にクロス２２を貼ると、石膏ボード２１と下地方立２５との間の継ぎ目においても段差のない平滑な化粧面が得られる。同様に、柱１１の側においても、石膏ボード２１の表面から下地縦枠１３１の外面および前面を覆うようにクロス２２を貼る。
【００３６】
次いで、図１１（ｃ）に示すように、柱１２側において下地縦枠１３１に化粧縦枠１３２を取り付けて縦枠１３を形成し、戸袋側上枠１５２と連続するように開口側上枠１５１を開口部２９の上面に取り付けて上枠１５を形成し、さらに、戸袋側鴨居レール２４２と連続するように開口側上枠１５１に開口側鴨居レール２４１を取り付けて鴨居レール２４を形成する。開口側上枠１５１は、開口側鴨居レール２４１を嵌合固定した後に、開口部２９の上面に取り付けても良い。図示されないが、鴨居レール２４の直下において、床面３０に敷居レール３１を取り付ける。また、各下地方立２５の連結溝２５６に、連結部材２７の嵌合部２７２を嵌合させ、他方の嵌合部２７３が開口部２９に突出した状態としておく。
【００３７】
図１１（ｄ）は仕上げ工程を示すものであり、鴨居レール２４に引戸１６を吊り込むと共に、図１１（ｃ）で突出状態にある連結部材２７の嵌合部２７３を、化粧方立２６の連結溝２６２に差し込んで嵌合することにより、下地方立２５に化粧方立２６を取り付ける。あるいは、図１１（ｃ）では連結部材２７を下地方立２５の連結溝２５６に嵌合させずに、図１１（ｄ）において、連結部材２７の嵌合部２７３を連結溝２６２に嵌合させた状態の化粧方立２６を下地方立２５に近づけていき、突出する嵌合部２７２を下地方立２５の連結溝２５６に差し込んで嵌合することによって、これらを一体化するようにしても良い。図１に示すように、化粧方立２６は、開口側上枠１５１に対していわゆる縦勝ちに固定される。
【００３８】
このとき、下地方立２５の前面２５３ａと化粧方立２６の後面２６３ｆとが接した状態となり、下地方立２５の内面２５３ｉと化粧方立２６の内面２６３ｇは略面一となって連続した面を形成する。また、下地方立２５の突出部２５２は化粧方立２６の切欠２６１に納められるが、既述した寸法関係から、下地方立２５の突出部側面２５３ｂおよび前面２５３ｃは化粧方立２６の切欠面２６３ｄ，２６３ｅとは非接触状態に維持され、これらの面の間には隙間が確保される。つまり、下地方立２５において、連結溝２５６の上面から突出部側面２５３ｂまでの距離をａ１、突出部側面２５３ｂの幅をａ２とし、化粧方立２６において、連結溝２６２の上面から切欠面２６３ｅまでの距離をｂ１、切欠面２６３の幅をｂ２とすれば、ａ１＞ｂ１であり且つｂ２＞ａ２である。したがって、上記のように化粧方立２６を下地方立２５に組み付けて一体化したときに、下地方立２５および／化粧方立２６の加工精度が悪い場合であっても、それらの連結溝２５６，２６２同士を一致させて、連結部材１７で連結することができる。また、下地方立２５の突出部外面２５３ｄおよび突出部前面２５３ｃを完全に被覆するように貼着されたクロス２２や、化粧方立２６の面２６３ｇ，２６３ａ〜２６３ｅを完全に被覆してその両端が後面２６３ｆに回り込むように貼着された化粧シート２６４を傷付けることがない。
【実施例２】
【００３９】
図１２および図１３に示される引込戸構造１０は、実施例１の引込戸構造１０に近似しているが、その構成部材である縦枠１３、上枠１５、鴨居レール２４、下地方立２５および化粧方立２６に相違がみられる。以下、主にこれらについて説明し、実施例１と同様の構成部材や作用については、説明を省略する。また、実施例１と同様または対応する部材や要素には同一の符号が付されている。
【００４０】
上枠１５については、実施例１ではこれを開口側上枠１５１と戸袋側上枠１５２の２部材からなるものとして示されているが、この実施例ではこれらを連続一体化させたような形状および構成を有する単一部材であり、その開口側において、実施例１の開口側上枠１５１と同様の化粧シート１５７が貼着されている（図１７）。上枠１５が単一部材として構成されていることに伴い、鴨居レール２４もこの実施例では単一部材であり、実施例１の開口側鴨居レール２４１と戸袋側鴨居レール２４２とを連続一体化させたような形状および構成を有する（図１８）。図示しないが、縦枠１３についても、実施例１ではこれを下地縦枠１３１と化粧縦枠１３２の２部材からなるものとして示されているが、この実施例ではこれらを一体化させた単一部材として用いている。
【００４１】
下地方立２５については、実施例１の下地方立２５における切欠２５５が省略された形状に変更されている（図１５）。化粧方立２６については、実施例１の化粧方立２６と形状的には近似しているが、その幅（外面２６３ｃと内面２６３ｇの間隔）を大きくして、下地方立２５の幅（外面２５３ｄと内面２５３ｉの間隔）と同一幅に変更されている。しかしながら、この実施例においても、実施例１と同様に、下地方立２５の連結溝２５６の上面から突出部側面２５３ｂまでの距離ａ３は、化粧方立２６の連結溝２６２の上面から切欠面２６３ｅまでの距離ｂ３より大きく（ａ３＞ｂ３）、且つ、下地方立２５の突出部側面２５３ｂの幅ａ４は、化粧方立２６の切欠面２６３の幅ｂ４より小さい（ｂ４＞ａ４）。
【００４２】
この実施例による引込戸構造１０の施工について、図１９を参照して説明する。図１９（ａ）は下地工程を示すものであり、柱１１に縦枠１３、柱１２に戸当たり部材１４、開口部２９の上面に上枠１５をそれぞれ取り付け、上枠１５に鴨居レール２４を嵌合固定し、開口部２９の上下面および柱１２に戸袋下地板１７および戸袋下地桟１８からなる戸袋下地材１９を取り付けて表裏に戸袋２３，２３を形成し、各戸袋２３の開口端部に下地方立２５を取り付ける。上枠１５は、あらかじめ鴨居レール２４を嵌合固定して一体化した後に、開口部２９の上面に取り付けても良い。各戸袋下地材１９の外面に石膏ボード２１を取り付け、その端部を下地方立２５の後面２５３ｈに突き当て、傾斜面２５３ｅによる隙間２８にパテ（図示せず）を埋めて下地方立２５の突出部外面２５３ｄと石膏ボード２１との継ぎ目を略平坦にする。
【００４３】
図１９（ｂ）はクロス貼り工程を示すものであり、戸袋２３，２３側においては、石膏ボード２１の表面から下地方立２５の外面２５３ｄおよび前面２５３ｃを完全に被覆するようにクロス２２を貼る。また、柱１１の側において、石膏ボード２１の表面から縦枠１３との継ぎ目までクロス２２を貼る。
【００４４】
次いで、実施例１と同様にして引戸１６を吊り込み、連結部材２７（実施例１の連結部材２７（図６）と同様のものであって良い）を連結溝２５６，２６２に嵌合することにより化粧方立２６を下地方立２５に組み付けて一体化する。このとき、下地方立２５の前面２５３ａと化粧方立２６の後面２６３ｆとが接した状態となり、下地方立２５の内面２５３ｉと化粧方立２６の内面２６３ｇは略面一となって連続した面を形成する。下地方立２５の突出部２５２は化粧方立２６の切欠２６１に納められるが、既述した寸法関係から、下地方立２５の突出部側面２５３ｂおよび前面２５３ｃは化粧方立２６の切欠面２６３ｄ，２６３ｅとは非接触状態に維持され、これらの面の間には隙間が確保される。したがって、実施例１と同様に、連結溝２５６，２６２同士を一致させて化粧方立２５と化粧方立２６とを支障なく連結することができ、クロス２２や化粧シート２６４を傷付けることもない。
【００４５】
本発明について実施例を挙げて詳述したが、本発明はこれら実施例に限定されるものではなく、特許請求の範囲に規定される発明の範囲内において広く変形ないし変更して実施可能である。たとえば、下地方立２５と化粧方立２６を連結するための連結溝２５６，２６２を複数本設けることにより、これらをより強固に一体化するような構成を採用しても良い。この場合は、連結溝２５６，２６２の本数に対応して同数の連結部材２７が用いられる。
【００４６】
なお、下地方立２５と化粧方立２６を組み合わせる場合、下地方立２５の前面２５３ａと化粧方立２６の後面２６３ｆとを当接させた状態とする（図３，図１４）ことが基本であるが、これらの面２５３ａ，２６３ｆ同士が離れていてそれらの間に隙間が生じていても、化粧方立２６の切欠２６１内に納められる下地方立２５の突出部２５２によって隠蔽されるので、意匠性が損なわれない。たとえば、化粧方立２６の後面２６３ｆを下地方立２５の前面２５３ａに密接させた状態で連結すると、化粧方立２６の前面２６３ａと上枠端面１５８（図７，図１７）との間に隙間が生じてしまうような場合には、連結部材２７を介して下地方立２５と連結した状態を維持しながら、化粧方立２６を連結部材２７から離れる方向に移動させて、この隙間を無くすことができる。
【符号の説明】
【００４７】
１０  引込戸構造
１１  柱（開口側）
１２  柱（戸袋側）
１３  縦枠
１３１  下地縦枠
１３２  化粧縦枠
１３３  凹条
１３４  凸条
１３５  戸じゃくり
１４  戸当たり部材
１５  上枠
１５１  開口側上枠
１５２  戸袋側上枠
１５３，１５４  溝
１５５，１５６  鴨居レール取付凹部
１５７  化粧シート
１５８  開口側上枠の端面
１５９  段部
１６  引戸
１７  戸袋下地板
１８  戸袋下地桟
１９  戸袋下地材
２０  方立
２１  石膏ボード（壁材）
２２  クロス
２３  戸袋
２４  鴨居レール
２４１  開口側鴨居レール
２４２  戸袋側鴨居レール
２４３，２４４  戸車走行溝
２４５，２４６  係止縁
２５  下地方立
２５１  下地本体部
２５２  突出部
２５３ａ〜２５３ｉ  面
２５４，２５５  切欠
２５６  連結溝
２５７  ネジ頭収容凹部
２５８  ネジ穴
２６  化粧方立
２６１  切欠
２６２  連結溝
２６３ａ〜２６３ｇ  面
２６４  化粧シート
２７  連結部材
２７１  凹凸
２７２，２７３  嵌合部
２８  隙間
２９  開口部
３０  床面
３１  敷居レール
【図１】
0006359912.tif 000002
【図２】
0006359912.tif 000003
【図３】
0006359912.tif 000004
【図４】
0006359912.tif 000005
【図５】
0006359912.tif 000006
【図６】
0006359912.tif 000007
【図７】
0006359912.tif 000008
【図８】
0006359912.tif 000009
【図９】
0006359912.tif 000010
【図１０】
0006359912.tif 000011
【図１１】
0006359912.tif 000012
【図１２】
0006359912.tif 000013
【図１３】
0006359912.tif 000014
【図１４】
0006359912.tif 000015
【図１５】
0006359912.tif 000016
【図１６】
0006359912.tif 000017
【図１７】
0006359912.tif 000018
【図１８】
0006359912.tif 000019
【図１９】
0006359912.tif 000020